(57)【要約】【課題】  製版機構、インキ供給機構および印刷機構の準備動作を最短時間で実行可能とすることを目的とする。【解決手段】  まず、インキローラ洗浄装置と、インキローラと、版胴と、ブランケット胴と、給紙胴と、排紙胴とを使用するインキローラ洗浄動作が行われるとともに、露光ヘッドのみを使用するキャリブレーション動作が行われる。次に、ブランケット胴洗浄装置と、ブランケット胴と、給紙胴と、排紙胴とを使用するブランケット胴洗浄動作が行われるとともに、版胴と、印刷版排出装置とのみを使用する印刷版排出動作が行われる。そして、版胴と、印刷版供給装置と、のみを使用する印刷版供給動作が行われる。その後、露光ヘッドと、版胴と、を使用する露光動作が行われる。【選択図】        図３
2007050520.tif 000002
【特許請求の範囲】
【請求項１】
印刷版に画像を記録して製版する製版機構と、前記製版機構において製版された印刷版にインキを供給するインキ供給機構と、前記製版機構において製版された印刷版を用いて印刷を行う印刷機構と、を備える印刷装置において、
前記製版機構、前記インキ供給機構および前記印刷機構の準備動作を、各準備動作に必要な要素および各準備動作の優先順位と関連付けて記憶する記憶手段と、
前記製版機構、前記インキ供給機構および前記印刷機構の準備動作の要否を判断する識別手段と、
前記記憶手段で記憶された各準備動作に必要な要素および各準備動作の優先順位に基づいて、前記識別手段により必要であると判断された準備動作についてスケジュールを行うスケジュール演算手段と、
を備えることを特徴とする印刷装置。
【請求項２】
請求項１に記載の印刷装置において、
前記スケジュール演算手段は、前記製版機構、前記インキ供給機構、または、前記印刷機構のいずれかの準備動作の条件が変更された場合に、前記識別手段により前記各準備動作の要否を再度判断し、前記スケジュール演算手段により再度スケジュールを行う印刷装置。
【請求項３】
請求項１または請求項２に記載の印刷装置において、
前記製版機構は、その外周部に前記印刷版を装着する版胴と、露光ヘッドと、を備え、
前記製版機構の準備動作は、前記印刷版を排出する印刷版排出動作と、前記印刷版を供給する印刷版供給動作と、前記露光ヘッドの調整を行うキャリブレーション動作とである印刷装置。
【請求項４】
請求項１乃至請求項３のいずれかに記載の印刷装置において、
前記インキ供給機構は、インキローラを備え、
前記インキ供給機構の準備動作は、前記インキローラを洗浄するインキローラ洗浄動作である印刷装置。
【請求項５】
請求項１乃至請求項４のいずれかに記載の印刷装置において、
前記印刷機構は、その外周部にブランケットを装着するブランケット胴を備え、
前記印刷機構の準備動作は、前記ブランケット胴を洗浄するブランケット胴洗浄動作と、前記露光ヘッドによる前記版胴への露光動作とである印刷装置。
【請求項６】
請求項４または請求項５に記載の印刷装置において、
前記スケジュール演算手段は、前記インキローラ洗浄動作または前記ブランケット胴洗浄動作の優先順位を、他の準備動作の優先順位よりも高く設定する印刷装置。
【請求項７】
印刷版に画像を記録して製版する製版工程と、前記製版工程において製版された印刷版にインキを供給するインキ供給工程と、前記製版工程において製版された印刷版を用いて印刷を行う印刷工程と、を備える印刷方法において、
前記製版工程、前記インキ供給工程および前記印刷工程の準備動作を、各準備動作に必要な要素および各準備動作の優先順位と関連付けて記憶する記憶工程と、
前記製版工程、前記インキ供給工程および前記印刷工程の準備動作の要否を判断する識別工程と、
前記記憶工程で記憶された各準備動作に必要な要素および各準備動作の優先順位に基づいて、前記識別工程により必要であると判断された準備動作についてスケジュールを行うスケジュール演算工程と、
を備えることを特徴とする印刷方法。
【請求項８】
請求項７に記載の印刷方法において、
前記製版工程、前記インキ供給工程、または、前記印刷工程のいずれかの準備動作の条件が変更された場合に、前記識別工程により前記各準備動作の要否を再度判断し、再度スケジュールを行う再スケジュール工程を備える印刷方法。
【発明の詳細な説明】
【技術分野】
【０００１】
この発明は、画像を記録した印刷版にインキを供給して印刷を行う印刷装置および印刷方法に関する。
【背景技術】
【０００２】
このような印刷装置として、特許文献１に記載のように、人間の操作を介することなく、製版から印刷までの一連の工程を自動的に行うシステムを備える装置が知られている。そして、この特許文献１に記載の装置は、印刷版に画像を形成するイメージング、印刷版を清掃する版クリーニング、印刷用紙にインキを転写する印刷、印刷終了後のブランケット胴洗浄、インキローラ洗浄の順番に合わせて、製版および印刷を自動的に実行することができる。
【特許文献１】特開２００１−２８７３４２号公報
【発明の開示】
【発明が解決しようとする課題】
【０００３】
しかしながら、特許文献１に記載の装置は、印刷版に画像を形成するイメージング、印刷版を清掃する版クリーニング、印刷用紙にインキを転写する印刷、印刷終了後のブランケット胴洗浄、インキローラ洗浄の順番をオペレータが設定する必要があり、例えば準備動作の変更等にともなって製版機構、インキ供給機構および印刷機構の準備動作の順番を最短時間で実行させるように自動的に設定することができない。このため、特許文献１に記載の装置では、画一的な工程処理しかできず、製版機構、インキ供給機構および印刷機構の準備動作を種々の条件下で最短時間で実行させるように組み合わせ、さらに、これらの準備動作を並行して実行させることは困難である。
【０００４】
この発明は、以上のような課題を解決するためになされたものであり、製版機構、インキ供給機構および印刷機構の準備動作を最短時間で実行可能な印刷装置および印刷方法を提供することを目的とする。
【課題を解決するための手段】
【０００５】
請求項１に記載の発明は、印刷版に画像を記録して製版する製版機構と、前記製版機構において製版された印刷版にインキを供給するインキ供給機構と、前記製版機構において製版された印刷版を用いて印刷を行う印刷機構と、を備える印刷装置において、前記製版機構、前記インキ供給機構および前記印刷機構の準備動作を、各準備動作に必要な要素および各準備動作の優先順位と関連付けて記憶する記憶手段と、前記製版機構、前記インキ供給機構および前記印刷機構の準備動作の要否を判断する識別手段と、前記記憶手段で記憶された各準備動作に必要な要素および各準備動作の優先順位に基づいて、前記識別手段により必要であると判断された準備動作についてスケジュールを行うスケジュール演算手段と、を備えることを特徴とする。
【０００６】
請求項２に記載の発明は、請求項１に記載の印刷装置において、前記スケジュール演算手段は、前記製版機構、前記インキ供給機構、または、前記印刷機構のいずれかの準備動作の条件が変更された場合に、前記識別手段により前記各準備動作の要否を再度判断し、前記スケジュール演算手段により再度スケジュールを行う。
【０００７】
請求項３に記載の発明は、請求項１または請求項２に記載の印刷装置において、前記製版機構は、その外周部に前記印刷版を装着する版胴と、露光ヘッドと、を備え、前記製版機構の準備動作は、前記印刷版を排出する印刷版排出動作と、前記印刷版を供給する印刷版供給動作と、前記露光ヘッドの調整を行うキャリブレーション動作とである。
【０００８】
請求項４に記載の発明は、請求項１乃至請求項３のいずれかに記載の印刷装置において、前記インキ供給機構は、インキローラを備え、前記インキ供給機構の準備動作は、前記インキローラを洗浄するインキローラ洗浄動作である。
【０００９】
請求項５に記載の発明は、請求項１乃至請求項４のいずれかに記載の印刷装置において、前記印刷機構は、その外周部にブランケットを装着するブランケット胴を備え、前記印刷機構の準備動作は、前記ブランケット胴を洗浄するブランケット胴洗浄動作と、前記露光ヘッドによる前記版胴への露光動作とである。
【００１０】
請求項６に記載の発明は、請求項４または請求項５に記載の印刷装置において、前記スケジュール演算手段は、前記インキローラ洗浄動作または前記ブランケット胴洗浄動作の優先順位を、他の準備動作の優先順位よりも高く設定する。
【００１１】
請求項７に記載の発明は、印刷版に画像を記録して製版する製版工程と、前記製版工程において製版された印刷版にインキを供給するインキ供給工程と、前記製版工程において製版された印刷版を用いて印刷を行う印刷工程と、を備える印刷方法において、前記製版工程、前記インキ供給工程および前記印刷工程の準備動作を、各準備動作に必要な要素および各準備動作の優先順位と関連付けて記憶する記憶工程と、前記製版工程、前記インキ供給工程および前記印刷工程の準備動作の要否を判断する識別工程と、前記記憶工程で記憶された各準備動作に必要な要素および各準備動作の優先順位に基づいて、前記識別工程により必要であると判断された準備動作についてスケジュールを行うスケジュール演算工程と、を備えることを特徴とする。
【００１２】
請求項８に記載の発明は、請求項７に記載の印刷方法において、前記製版工程、前記インキ供給工程、または、前記印刷工程のいずれかの準備動作の条件が変更された場合に、前記識別工程により前記各準備動作の要否を再度判断し、再度スケジュールを行う再スケジュール工程を備える。
【発明の効果】
【００１３】
請求項１に記載の発明によれば、製版機構、インキ供給機構および印刷機構の準備動作を、各準備動作に必要な要素および各準備動作の優先順位と関連付けて記憶する記憶手段と、製版機構、インキ供給機構および印刷機構の準備動作の要否を判断する識別手段と、記憶手段で記憶された各準備動作に必要な要素および各準備動作の優先順位に基づいて、識別手段により必要であると判断された準備動作についてスケジュールを行うスケジュール演算手段とを備えることから、製版機構、インキ供給機構および印刷機構の準備動作を最短時間で実行することが可能となる。
【００１４】
請求項２に記載の発明によれば、スケジュール演算手段は、製版機構、インキ供給機構、または、印刷機構のいずれかの準備動作の条件が変更された場合に、識別手段により各準備動作の要否を再度判断し、スケジュール演算手段により再度スケジュールを行うことから、準備動作の条件が変更された場合にも、製版機構、インキ供給機構および印刷機構の準備動作を最短時間で実行することが可能となる。
【００１５】
請求項３に記載の発明によれば、製版機構は、その外周部に印刷版を装着する版胴と、露光ヘッドとを備え、製版機構の準備動作は、印刷版を排出する印刷版排出動作と、印刷版を供給する印刷版供給動作と、露光ヘッドの調整を行うキャリブレーション動作とであることから、製版機構の準備動作と、製版機構の準備動作以外の動作と、を並行して実行させることが可能となる。
【００１６】
請求項４に記載の発明によれば、インキ供給機構は、インキローラを備え、インキ供給機構の準備動作は、インキローラを洗浄するインキローラ洗浄動作であることから、インキ供給機構の準備動作と、インキ供給機構の準備動作以外の動作と、を並行して実行させることが可能となる。
【００１７】
請求項５に記載の発明によれば、印刷機構は、その外周部にブランケットを装着するブランケット胴を備え、印刷機構の準備動作は、ブランケット胴を洗浄するブランケット胴洗浄動作と、露光ヘッドによる前記版胴への露光動作とであることから、印刷機構の準備動作と、印刷機構の準備動作以外の動作と、を並行して実行させることが可能となる。
【００１８】
請求項６に記載の発明によれば、スケジュール演算手段は、インキローラ洗浄動作またはブランケット胴洗浄動作の優先順位を、他の準備動作の優先順位よりも高く設定することから、洗浄によるインキローラまたはブランケット胴の濡れを早期に乾燥することが可能となる。
【００１９】
請求項７に記載の発明によれば、製版工程、インキ供給工程および印刷工程の準備動作を、各準備動作に必要な要素および各準備動作の優先順位と関連付けて記憶する記憶工程と、製版工程、インキ供給工程および印刷工程の準備動作の要否を判断する識別工程と、記憶工程で記憶された各準備動作に必要な要素および各準備動作の優先順位に基づいて、識別工程により必要であると判断された準備動作についてスケジュールを行うスケジュール演算工程とを備えることから、製版機構、インキ供給機構および印刷機構の準備動作を最短時間で実行することが可能となる。
【００２０】
請求項８に記載の発明によれば、製版工程、インキ供給工程、または、印刷工程のいずれかの準備動作の条件が変更された場合に、識別工程により前記各準備動作の要否を再度判断し、再度スケジュールを行うことから、準備動作の条件が変更された場合にも、製版機構、インキ供給機構および印刷機構の準備動作を最短時間で実行することが可能となる。
【発明を実施するための最良の形態】
【００２１】
以下、この発明の実施形態について図面に基づいて説明する。図１は、この発明に係る印刷装置の概要図である。
【００２２】
この印刷装置は、第１、第２の版胴１１、１２に保持された画像が記録されていない印刷版に画像を記録して製版した後、この印刷版に供給されたインキを第１、第２のブランケット胴１３、１４を介して第１、第２の圧胴１５、１６に保持された印刷用紙Ｓに転写することにより４色の印刷を行うものである。
【００２３】
この印刷装置は、第１の版胴１１と、第２の版胴１２と、第１の版胴１１の外周部に装着されるべき印刷版を第１の版胴１１に供給するための印刷版供給装置１００と、第２の版胴１２の外周部に装着されるべき印刷版を第２の版胴１２に供給するための印刷版供給装置２００と、第１の版胴１１と当接可能に設けられた第１のブランケット胴１３と、第２の版胴１２と当接可能に設けられた第２のブランケット胴１４と、第１のブランケット胴１３に対して当接可能に設けられた第１の圧胴１５と、第２のブランケット胴１４に対して当接可能に設けられた第２の圧胴と、給紙部３１から供給された印刷用紙を第１の圧胴１５に渡すための給紙胴１７と、第１の圧胴１５から受け取った印刷用紙を第２の圧胴に渡すための渡し胴１８と、第２の圧胴１６に隣接して配置された排紙胴１９と、印刷用紙Ｓに印刷された画像を撮像する撮像部６０と、を備える。
【００２４】
第１の版胴１１および第２の版胴１２は、その外周部に各々異なる２色分の印刷版を保持する所謂２倍胴となっている。また、第１のブランケット胴１３および第２のブランケット胴１４は、第１の版胴１１および第２の版胴１２と同径であり、各々２色分の画像を転写し得るブランケット面を有する。
【００２５】
第１のブランケット胴１３および第２のブランケット胴１４と各々当接可能に設けられた第１の圧胴１５および第２の圧胴１６は、第１、第２の版胴１１、１２および第１、第２のブランケット胴１３、１４の直径の１／２の直径を有する。また、これら第１、第２の圧胴１５、１６は、印刷用紙Ｓの先端を保持して搬送するための図示しないグリッパを有する。
【００２６】
圧胴１５に隣接して配設された給紙胴１７は、第１、第２の圧胴１５、１６と同一の直径を有する。この給紙胴１７は、その隔回転毎に、給紙部３１から１枚ずつ供給された印刷用紙Ｓの先端をグリッパにより保持して搬送する。グリッパにより保持された印刷用紙Ｓの先端部は、給紙胴１７から第１の圧胴１５への印刷用紙Ｓの受け渡し時に、第１の圧胴１５のグリッパにより保持される。
【００２７】
第１の圧胴１５と第２の圧胴１６との間に配設された渡し胴１８は、第１、第２の版胴１１、１２および第１、第２のブランケット胴１３、１４の直径と同一の直径を有する。この渡し胴１８は、第１の圧胴１５から受け取った印刷用紙Ｓの先端を図示しないグリッパにより保持して搬送し、この印刷用紙Ｓの先端を第２の圧胴１６のグリッパに受け渡す。
【００２８】
第２の圧胴１６に隣接して配設された排紙胴１９は、第１、第２の版胴１１、１２および第１、第２のブランケット胴１３、１４の直径と同一の直径を有する。この排紙胴１９は、その両端部に一対のチェーン２３を巻回した構造を有し、この一対のチェーン２３を連結する図示しない連結部材上に、図示しないグリッパが配設されている。第２の圧胴１６のグリッパにより保持された印刷用紙Ｓの先端部は、第２の圧胴１６から排紙胴１９への印刷用紙Ｓの受け渡し時に、排紙胴１９のいずれかのグリッパにより保持されている。そして、この印刷用紙Ｓは、チェーン２３の移動に伴って、排紙部３２上に排出される。
【００２９】
給紙胴１７の端部に付設されたギヤは、従動プーリ２５と同芯上に配設されたギヤ２６と連結している。そして、モータ２７の駆動により回転する駆動プーリ２８と従動プーリ２５との間には、ベルト２９が巻回されている。このため、給紙胴１７は駆動モータ２７の駆動により回転する。一方、第１、第２の圧胴１５、１６、給紙胴１７、渡し胴１８および排紙胴１９は、各々その端部に付設されたギヤにより連結されている。このため、駆動モータ２７の駆動により、これらの給紙胴１７、第１、第２の圧胴１５、１６、排紙胴１９、第１、第２のブランケット胴１３、１４、第１、第２の版胴１１、１２および渡し胴１８は、互いに同期して回転する。
【００３０】
第１の版胴１１と版胴１１に付設されたギヤとの間には、製版動作を実行するときに第１の版胴１１の駆動系を他の胴の駆動系から切り離して独立して回転させるためのクラッチが配設されている。また、第１の版胴１１におけるクラッチとは逆側の端部には、ロータリエンコーダが配設されており、その側方には、画像の記録時に第１の版胴１１を回転するための製版用モータが配設されている。なお、製版時に第１の版胴１１を独立して回転させるためのクラッチを使用する代わりに、版胴１１に付設されるギヤとブランケット胴１３に付設されるギヤとの歯合関係を一時的に解除させる胴抜き機構を使用してもよい。
【００３１】
第１の版胴１１の周囲には、印刷版に例えばブラック（Ｋ）のインキを供給するためのインキ供給装置２０ａと、印刷版に例えばシアン（Ｃ）のインキを供給するためのインキ供給装置２０ｂと、印刷版に湿し水を供給するための湿し水供給装置２１ａ、２１ｂと、インキ供給装置２０ａ、２０ｂを洗浄するためのインキローラ洗浄装置５００ａ、５００ｂとが配置されている。また、第２の版胴１２の周囲には、印刷版に例えばマゼンダ（Ｍ）のインキを供給するためのインキ供給装置２０ｃと、印刷版に例えばイエロー（Ｙ）のインキを供給するためのインキ供給装置２０ｄと、印刷版に湿し水を供給するための湿し水供給装置２１ｃ、２１ｄと、インキ供給装置２０ｃ、２０ｄを洗浄するためのインキローラ洗浄装置５００ｃ、５００ｄとが配置されている。以下、インキ供給装置２０ａ、２０ｂ、２０ｃ、２０ｄを総称してインキ供給装置２０とし、インキローラ洗浄装置５００ａ、５００ｂ、５００ｃ、５００ｄを総称してインキローラ洗浄装置５００とする。
【００３２】
インキ供給装置２０は、インキを貯留するインキ壺２０１と、インキ壺２０１からインキを取り出すインキ元ローラ２０２と、インキ元ローラから繰り出されたインキを伝達するための複数の中間ローラ２０３と、中間ローラ２０３により伝達されたインキを印刷版に供給する複数のインキ着けローラ２０４と、を備える。なお、これらインキ元ローラ２０２、中間ローラ２０３、および、インキ着けローラ２０４を総称してインキローラ２１０とする。
【００３３】
インキローラ洗浄装置５００は、図示しないインキ洗浄液貯留タンクから送液された洗浄液をインキローラ２１０に向けて吐出するための図示しない洗浄液吐出部と、所定の中間ローラ２０３から洗浄液および残留インキを除去するための図示しない洗浄液除去板と、を備える。このインキローラ洗浄装置５００は、まず洗浄液吐出部によってインキローラ２１０に洗浄液を吐出しながらインキローラ２１０を回転させる。この動作によってインキローラ２１０の表面上に洗浄液が伝わり、インキローラ２１０上の残留インキが洗浄液により洗浄される。そして洗浄液除去板をインキローラ２１０に当接させ、汚れた洗浄液が図示しない回収手段に回収される。
【００３４】
さらに、第１の版胴１１および第２の版胴１２の周囲には、それぞれ、収納部４１に収納された印刷版を第１の版胴１１の外周部に供給するための印刷版供給装置１００と、収納部４３に収納された印刷版を第２の版胴１２の外周部に供給するための印刷版供給装置２００と、第１の版胴１１の外周部に装着された印刷版に画像を記録するための露光ヘッドを有する画像記録装置３５と、第２の版胴１２の外周部に装着された印刷版に画像を記録するための露光ヘッドを有する画像記録装置３６と、第１の版胴１１の外周部に装着された使用済みの印刷版Ｐを剥離装置３０２により当該版胴１１から取り外して排版部３０１に排出するための印刷版排出装置３００と、第２の版胴１２の外周部に装着された使用済みの印刷版Ｐを剥離装置４０２により当該版胴１２から取り外して排版部４０１に排出するための印刷版排出装置４００とが配置されている。
【００３５】
印刷版供給装置１００は、ロール状に巻回された印刷版を収納する収納部４１と、第１の版胴１１との間に配置される。この印刷版供給装置１００は、印刷版を所定の長さに切断するためのカッタ４２と、印刷版を収納部４１から第１の版胴１１に案内するためのガイド板および搬送ローラよりなる案内機構とを備える。また、印刷版供給装置２００は、ロール状に巻回された印刷版を収納する収納部４３と、第２の版胴１２との間に配置される。この印刷版供給装置２００は、印刷版を所定の長さに切断するためのカッタ４４と、印刷版を収納部４３から第２の版胴１２に案内するためのガイド板および搬送ローラよりなる案内機構とを備える。
【００３６】
また、第１のブランケット胴１３および第２のブランケット胴１４の周囲には、それぞれ、第１のブランケット胴を洗浄するためのブランケット胴洗浄装置７００と、第２のブランケット胴を洗浄するためのブランケット胴洗浄装置８００とが配置されている。
【００３７】
このブランケット胴洗浄装置７００、８００は、洗浄液を浸透させた洗浄布をブランケット胴１３、１４に押し付けることにより、ブランケット胴１３、１４上のインキを拭き取りつつその外周面に洗浄液を塗布するものである。
【００３８】
上述した構成を有する印刷機においては、収納部４１から引き出された印刷版はカッタ４２により所定の長さに切断される。そして、切断されたシート状の印刷版の先端部は、図示しないガイドローラおよびガイド部材により案内され、第１の版胴１１のくわえ爪にくわえられる。そして、第１の版胴１１が図示しないモータの駆動により低速で回転し、印刷版が第１の版胴１１の外周部に巻き付けられ、印刷版の後端部は他方のくわえ爪によりくわえられる。この状態において、第１の版胴１１を低速で回転させながら、画像記録装置３５により第１の版胴１１の外周部に保持された印刷版の表面に変調されたレーザビームを照射し、画像を記録する。
【００３９】
同様に、収納部４３から引き出された印刷版はカッタ４４により所定の長さに切断される。そして、切断されたシート状の印刷版の先端部は、図示しないガイドローラおよびガイド部材により案内され、第２の版胴１２のくわえ爪にくわえられる。そして、第２の版胴１２が図示しないモータの駆動により低速で回転し、印刷版が第２の版胴１２の外周部に巻き付けられ、印刷版の後端部は他方のくわえ爪によりくわえられる。この状態において、第２の版胴１２を低速で回転させながら、画像記録装置３６により第２の版胴１２の外周部に保持された印刷版の表面に変調されたレーザビームを照射し、画像を記録する。
【００４０】
なお、第１の版胴１１の外周部には、ブラックのインキで印刷を行うための印刷版と、シアンのインキで印刷を行うための印刷版とが装着される。これら２枚の印刷版は、均等に振り分けられた状態（すなわち互いに１８０度離隔した状態）となる位置に配置され、画像記録装置３５はこれらの印刷版に画像を記録する。同様に、第２の版胴１２の外周部には、マゼンタのインキで印刷を行うための印刷版と、イエローのインキで印刷を行うための印刷版と装着される。これら２枚の印刷版も、均等に振り分けられた状態となる位置に配置され、画像記録装置３６はこれらの印刷版に画像を記録して、製版工程が終了する。
【００４１】
製版工程が完了すれば、第１、第２の版胴１１、１２上の印刷版を用いて印刷用紙に印刷を行う印刷工程を実行する。この印刷工程は、次のようにして実行される。
【００４２】
すなわち、先ず、各湿し水供給装置２１および各インキ供給装置２０を第１、第２の版胴１１、１２上に保持された印刷版のうちの対応する印刷版とのみ当接させる。これにより、各印刷版には対応する各湿し水供給装置２１および各インキ供給装置２０から湿し水とインキとが供給される。そして、印刷版に供給されたインキは、第１、第２のブランケット胴１３、１４の対応する領域に転写される。
【００４３】
そして、印刷用紙を給紙胴１７に供給する。この印刷用紙は、給紙胴１７から第１の圧胴１５に渡される。印刷用紙を受け取った第１の圧胴１５が回転を続けると、第１の圧胴１５は、第１の版胴１１および第１のブランケット胴１３の１／２の直径を有することから、第１の圧胴１５の外周部に保持された印刷用紙には、その１回転目においてブラックのインキが、また、その２回転目においてシアンのインキが転写される。
【００４４】
第１の圧胴１５が２回転すれば、印刷用紙は第１の圧胴１５から渡し胴１８を介して第２の圧胴に渡される。印刷用紙を受け取った第２の圧胴１６が回転を続けると、第２の圧胴１６は、第２の版胴１２および第２のブランケット胴１４の１／２の直径を有することから、第２の圧胴１６の外周部に保持された印刷用紙には、その１回転目においてマゼンタのインキが、また、その２回転目においてイエローのインキが転写される。
【００４５】
このようにして、４色の印刷が終了した印刷用紙の先端部は、第２の圧胴１６から排紙胴１９に渡される。そして、４色の印刷が終了した印刷用紙は、一対のチェーン２３の駆動により、排紙部２８に向けて搬送されて排出される。
【００４６】
図２は、この発明に係る印刷装置の主要な電気的構成を示すブロック図である。
【００４７】
この印刷装置は、装置の制御に必要な動作プログラムが格納されたＲＯＭ５０１と、制御時にデータ等が一時的にストアされるＲＡＭ５０２と、ＣＰＵ５０３とからなる制御部５０５を備える。この制御部５０５は、インタフェース５０４を介して、画像記録装置３５、３６と、印刷版供給装置１００、２００と、印刷版排出装置３００、４００と、インキローラ洗浄装置５００と、ブランケット胴洗浄装置７００、８００と、給紙胴１７と、排紙胴１９の駆動源と電気的に接続されている。
【００４８】
また、この制御部５０５におけるＲＡＭ５０２は、製版に必要な準備動作、インキ供給に必要な準備動作および印刷に必要な準備動作を、各準備動作に必要な要素と関連付けて予め記憶するとともに、製版に必要な準備動作、インキ供給に必要な準備動作および印刷に必要な準備動作を、各準備動作の優先順位と関連付けて予め記憶する。また、制御部５０５は、製版に必要な準備動作、インキ供給に必要な準備動作および印刷に必要な準備動作の要否を判断する識別する機能を有する。そして、制御部５０５は、識別された結果、必要であると判断された準備動作のみについてスケジュール構成のためのスケジュール演算する機能を有する。さらに、制御部５０５は、各準備動作の要否を再度識別および判断し、再度スケジュールを構成するためのスケジュール演算をする機能を有する。このため、この発明に係る印刷装置は、製版、インキ供給および印刷のための準備動作を最短時間で実行することが可能となる。
【００４９】
ここで、この発明の実施形態においては、製版に必要な準備動作は、印刷版排出装置３００、４００により印刷版を排出する印刷版排出動作と、印刷版供給装置１００、２００により印刷版を供給する印刷版供給動作と、露光ヘッドの調整を行うキャリブレーション動作とである。また、インキ供給に必要な準備動作は、インキローラ洗浄装置５００によりインキローラ２１０を洗浄するインキローラ洗浄動作である。また、印刷に必要な準備動作は、ブランケット胴洗浄装置７００、８００によりブランケット胴１３、１４を洗浄するブランケット胴洗浄動作と、画像記録装置３５、３６における露光ヘッドによる版胴１１、１２への露光動作とである。なお、インキローラ洗浄動作またはブランケット胴洗浄動作は、他の準備動作よりも優先順位を高く設定される。このため、洗浄によりインキローラ２１０やブランケット胴１３、１４がぬれた場合であっても、他の準備動作中にこれらを乾燥することが可能となる。これにより、製版、インキ供給および印刷のための準備動作を最短時間で実行することが可能となる。
【００５０】
このため、この発明の実施形態に係る印刷装置によれば、製版に必要な準備動作を行っている間に、製版に必要な準備動作に使用されない構成のみを使用して他の動作を実行することができる。また、インキ供給に必要な準備動作を行っている間に、インキ供給に必要な準備動作に使用されない構成のみを使用して他の動作を実行することができる。また、印刷に必要な準備動作を行っている間に、印刷に必要な準備動作に使用されない構成のみを使用して他の動作を実行することができる。
【００５１】
具体的には、この発明の実施形態に係る印刷装置においては、インキローラ洗浄動作に使用する構成は、インキローラ洗浄装置５００と、インキローラ２１０と、版胴１１、１２と、ブランケット胴１３、１４と、給紙胴１７と、排紙胴１９とである。このように、インキローラ２１０を洗浄するために直接的に関係のない胴をも使用する必要があるのは、印刷装置が、上述したように、第１、第２の圧胴１５、１６、給紙胴１７、渡し胴１８および排紙胴１９は、各々その端部に付設されたギヤにより連結され、駆動モータ２７の駆動により、給紙胴１７、第１、第２の圧胴１５、１６、排紙胴１９、第１、第２のブランケット胴１３、１４、第１、第２の版胴１１、１２および渡し胴１８を、互いに同期して回転させるためである。
【００５２】
また、ブランケット胴洗浄動作に使用する構成は、ブランケット胴洗浄装置７００、８００と、ブランケット胴１３、１４と、給紙胴１７と、排紙胴１９とである。このように版胴１１、１２を使用する必要がないのは、上述のとおり、版胴１１、１２には、その駆動系を他の胴の駆動系から切り離して独立して回転させるためのクラッチが配設されていることから、版胴１１、１２を切り離した状態でブランケット胴洗浄動作を行うことができるためである。
【００５３】
また、印刷版排出動作に使用する構成は、版胴１１、１２と、印刷版排出装置３００、４００とであり、印刷版供給動作に使用する構成は、版胴１１、１２と、印刷版供給装置１００、２００とである。ブランケット胴洗浄動作と同様に、版胴１１、１２には、その駆動系を他の胴の駆動系から切り離して独立して回転させるためのクラッチが配設されていることから、版胴１１、１２を切り離した状態で、印刷版排出動作を行うことができるためである。
【００５４】
また、キャリブレーション動作に使用する構成は、画像記録装置３５、３６における露光ヘッドである。
【００５５】
また、露光動作に使用する構成は、版胴１１、１２と、画像記録装置３５、３６における露光ヘッドである。
【００５６】
なお、上記に示した各動作に使用する構成は、種々の印刷機毎に異なることは言うまでもない。
【００５７】
以上のような構成を有する印刷装置においては、例えば、以下の図３乃至図１２に示すような準備動作のスケジュールを行うことができる。
【００５８】
図３乃至図１３は、この発明に係る印刷装置における準備動作のスケジュールを示す説明図である。なお、スケジュールについては、インキローラ洗浄動作、ブランケット胴洗浄動作、印刷版排出動作、印刷版供給動作、キャリブレーション動作、露光動作の順で優先順位を高く設定している。これらの優先順位は、予め制御部５０５におけるＲＡＭ５０２に記憶されている。また、露光動作は、他の準備動作と並行して行われないように設定している。これは、他の準備動作による振動が露光動作に影響を及ぼすことを防止するためである。
【００５９】
図３は、インキローラ洗浄動作、ブランケット胴洗浄動作、印刷版排出動作、印刷版供給動作、キャリブレーション動作、露光動作のすべてを行うスケジュールを示す説明図である。
【００６０】
このスケジュールにおいて、まず、優先順位が一番高く設定されるインキローラ洗浄動作が行われる。インキローラ洗浄動作を行うときには、インキローラ洗浄装置５００と、インキローラ２１０と、版胴１１、１２と、ブランケット胴１３、１４と、給紙胴１７と、排紙胴１９とが使用される。このとき、画像記録装置３５、３６における露光ヘッドが使用されていない。このため、露光ヘッドのみを使用するキャリブレーション動作が並行して行われる。
【００６１】
インキローラ洗浄動作が終了すると、ブランケット胴洗浄動作が行われる。このブランケット胴洗浄動作を行うときには、ブランケット胴洗浄装置７００、８００と、ブランケット胴１３、１４と、給紙胴１７と、排紙胴１９とが使用される。このとき、版胴１１、１２と、印刷版排出装置３００、４００とが使用されていない。このため、版胴１１、１２と、印刷版排出装置３００、４００と、のみを使用する印刷版排出動作が並行して行われる。
【００６２】
そして、印刷版排出動作が終了すると、既に印刷版排出動作が終了して使用されていない版胴１１、１２と、印刷版供給装置１００、２００と、のみを使用する印刷版供給動作が行われる。
【００６３】
その後、インキローラ洗浄動作、ブランケット胴洗浄動作、印刷版排出動作、印刷版供給動作、キャリブレーション動作が終了した状態となると、露光ヘッドと、版胴１１、１２と、を使用する露光動作が行われ、すべての準備動作が終了する。
【００６４】
このようなスケジュールは、制御部５０５におけるＲＡＭ５０２に記憶された各準備動作に必要な構成および各準備動作の優先順位に基づいて制御部５０５がオペレータの指示した動作に対して各準備動作の要否を判断し、必要であると判断された準備動作について演算されることにより実行される。これは、図４乃至図１３に示すスケジュールについても同様である。なお、この明細書において「スケジュールを行う」とは、各構成が行う動作の予定を組み立てることである。
【００６５】
図４は、インキローラ洗浄動作を行わない場合のスケジュールを示す説明図である。
【００６６】
すなわち、図４に示すスケジュールは、インキローラ洗浄動作が不要であると判断された場合のスケジュールである。このスケジュールにおいて、まず、インキローラ洗浄動作の次に優先順位が高く設定されるブランケット胴洗浄動作が行われる。ブランケット胴洗浄動作を行うときには、ブランケット胴洗浄装置７００、８００と、ブランケット胴１３、１４と、給紙胴１７と、排紙胴１９とが使用される。このとき、画像記録装置３５、３６における露光ヘッドが使用されていない。このため、露光ヘッドのみを使用するキャリブレーション動作が並行して行われる。また、版胴１１、１２と、印刷版排出装置３００、４００とは使用されていない。このため、版胴１１、１２と、印刷版排出装置３００、４００と、のみを使用する印刷版排出動作が並行して行われる。
【００６７】
印刷版排出動作が終了すると、既に印刷版排出動作が終了して使用されていない版胴１１、１２と、印刷版供給装置１００、２００と、のみを使用する印刷版供給動作が行われる。
【００６８】
その後、ブランケット胴洗浄動作、印刷版排出動作、印刷版供給動作、キャリブレーション動作、印刷版供給動作が終了した状態となると、露光ヘッドと、版胴１１、１２と、を使用する露光動作が行われ、すべての準備動作が終了する。
【００６９】
図５は、ブランケット胴洗浄動作を行わない場合のスケジュールを示す説明図である。
【００７０】
すなわち、図５に示すスケジュールは、ブランケット胴洗浄動作が不要であると判断された場合のスケジュールである。このスケジュールにおいて、まず、優先順位が一番高く設定されるインキローラ洗浄動作が行われる。インキローラ洗浄動作を行うときには、インキローラ洗浄装置５００と、インキローラ２１０と、版胴１１、１２と、ブランケット胴１３、１４と、給紙胴１７と、排紙胴１９とが使用される。このとき、画像記録装置３５、３６における露光ヘッドが使用されていないため、露光ヘッドのみを使用するキャリブレーション動作が並行して行われる。
【００７１】
インキローラ洗浄動作が終了すると、既にインキローラ洗浄動作が終了して使用されていない版胴１１、１２と、印刷版排出装置３００、４００とのみを使用する印刷版排出動作が行われる。
【００７２】
そして、印刷版排出動作が終了すると、既に印刷版排出動作が終了して使用されていない版胴１１、１２と、印刷版供給装置１００、２００と、のみを使用する印刷版供給動作が行われる。
【００７３】
その後、インキローラ洗浄動作、印刷版排出動作、印刷版供給動作、キャリブレーション動作が終了した状態となると、露光ヘッドと、版胴１１、１２と、を使用する露光動作が行われ、すべての準備動作が終了する。
【００７４】
図６は、インキローラ洗浄動作およびブランケット胴洗浄動作を行わない場合のスケジュールを示す説明図である。
【００７５】
すなわち、図６に示すスケジュールは、インキローラ洗浄動作およびブランケット胴洗浄動作が不要であると判断された場合のスケジュールである。このスケジュールにおいて、まず、インキローラ洗浄動作、ブランケット胴洗浄動作の次に優先順位が高く設定される印刷版排出動作が行われる。印刷版排出動作を行うときには、版胴１１、１２と、印刷版排出装置３００、４００とが使用される。このとき、画像記録装置３５、３６における露光ヘッドが使用されていない。このため、露光ヘッドのみを使用するキャリブレーション動作が並行して行われる。
【００７６】
印刷版排出動作が終了すると、既に印刷版排出動作が終了して使用されていない版胴１１、１２と、印刷版供給装置１００、２００と、のみを使用する印刷版供給動作が行われる。
【００７７】
その後、印刷版排出動作、印刷版供給動作、キャリブレーション動作、印刷版供給動作が終了した状態となると、露光ヘッドと、版胴１１、１２と、を使用する露光動作が行われ、すべての準備動作が終了する。
【００７８】
図７は、予め版胴に印刷版が装着されていない場合のスケジュールを示す説明図である。
【００７９】
すなわち、図７に示すスケジュールは、予め印刷版が装着されていない場合、すなわち、印刷版排出動作が不要であると判断された場合のスケジュールである。このスケジュールにおいて、まず、優先順位が一番高く設定されるインキローラ洗浄動作が行われる。インキローラ洗浄動作を行うときには、インキローラ洗浄装置５００と、インキローラ２１０と、版胴１１、１２と、ブランケット胴１３、１４と、給紙胴１７と、排紙胴１９とが使用される。このとき、画像記録装置３５、３６における露光ヘッドが使用されていない。このため、露光ヘッドのみを使用するキャリブレーション動作が並行して行われる。
【００８０】
インキローラ洗浄動作が終了すると、ブランケット胴洗浄動作が行われる。このブランケット胴洗浄動作を行うときには、ブランケット胴洗浄装置７００、８００と、ブランケット胴１３、１４と、給紙胴１７と、排紙胴１９とが使用される。このとき、版胴１１、１２と、印刷版供給装置１００、２００とが使用されていない。このため、版胴１１、１２と、印刷版供給装置１００、２００と、のみを使用する印刷版供給動作が並行して行われる。
【００８１】
その後、インキローラ洗浄動作、ブランケット胴洗浄動作、印刷版供給動作、キャリブレーション動作、印刷版供給動作が終了した状態となると、露光ヘッドと、版胴１１、１２と、を使用する露光動作が行われ、すべての準備動作が終了する。
【００８２】
図８は、インキローラ洗浄動作のみが行われる場合のスケジュールを示す説明図である。
【００８３】
すなわち、図８に示すスケジュールは、ブランケット胴洗浄動作、印刷版排出動作、印刷版供給動作、キャリブレーション動作、露光動作が不要であると判断された場合のスケジュールである。このスケジュールにおいては、インキローラ洗浄動作が行われる。このインキローラ洗浄動作を行うときには、インキローラ洗浄装置５００と、インキローラ２１０と、版胴１１、１２と、ブランケット胴１３、１４と、給紙胴１７と、排紙胴１９とが使用される。そして、インキローラ洗浄動作が終了した時点で、準備動作が終了する。
【００８４】
図９は、インキローラ洗浄動作のみが行われるスケジュールに対し、ブランケット胴洗浄動作が追加された場合の変更されたスケジュールを示す説明図である。
【００８５】
すなわち、図９に示すスケジュールは、予めブランケット胴洗浄動作、印刷版排出動作、印刷版供給動作、キャリブレーション動作、露光動作が不要であると判断されてスケジュールが設定された後に、例えばオペレータが動作途中で追加した指示などによってブランケット胴洗浄動作が必要であると判断され、再度スケジュールが行われた場合のスケジュールである。このスケジュールにおいては、インキローラ洗浄動作が行われる。このインキローラ洗浄動作を行うときには、インキローラ洗浄装置５００と、インキローラ２１０と、版胴１１、１２と、ブランケット胴１３、１４と、給紙胴１７と、排紙胴１９とが使用される。このインキローラ洗浄動作が行われている間に、ブランケット胴洗浄動作が追加されると、ブランケット胴洗浄動作を追加した準備動作のスケジュールが再度行われる。
【００８６】
そして、インキローラ洗浄動作が終了すると、既にインキローラ洗浄動作が終了して使用されていないブランケット胴１３、１４と、既にインキローラ洗浄動作が終了して使用されていない給紙胴１７、排紙胴１９と、のみを使用するブランケット胴洗浄動作が行われ、すべての準備動作が終了する。
【００８７】
図１０は、インキローラ洗浄動作およびブランケット胴洗浄動作のみが行われるスケジュールに対し、印刷版排出動作、印刷版供給動作、露光キャリブレーション動作、および、露光動作が追加された場合の変更されたスケジュールを示す説明図である。
【００８８】
すなわち、図１０に示すスケジュールは、予め印刷版排出動作、印刷版供給動作、露光キャリブレーション動作、および、露光動作が不要であると判断されてスケジュールが設定された後に、印刷版排出動作、印刷版供給動作、露光キャリブレーション動作、および、露光動作が必要であると判断され、再度スケジュールが行われた場合のスケジュールである。このスケジュールにおいては、まず、インキローラ洗浄動作が行われる。このインキローラ洗浄動作を行うときには、インキローラ洗浄装置５００と、インキローラ２１０と、版胴１１、１２と、ブランケット胴１３、１４と、給紙胴１７と、排紙胴１９とが使用される。
【００８９】
インキローラ洗浄動作が終了すると、ブランケット胴洗浄動作が行われる。このブランケット胴洗浄動作を行うときには、ブランケット胴洗浄装置７００、８００と、ブランケット胴１３、１４と、給紙胴１７と、排紙胴１９とが使用される。このブランケット胴洗浄動作が行われている間に、印刷版排出動作、印刷版供給動作、露光キャリブレーション動作、および、露光動作が追加されると、印刷版排出動作、印刷版供給動作、露光キャリブレーション動作、および、露光動作を追加した準備動作のスケジュールが再度行われる。
【００９０】
このとき、版胴１１、１２と、印刷版排出装置３００、４００と、画像記録装置３５、３６における露光ヘッドとが使用されていない。このため、版胴１１、１２と、印刷版排出装置３００、４００と、のみを使用する印刷版排出動作が並行して行われる。また、画像記録装置３５、３６における露光ヘッドのみを使用する露光キャリブレーション動作が並行して行われる。
【００９１】
そして、印刷版排出動作が終了すると、既に印刷版排出動作が終了して使用されていない版胴１１、１２と、印刷版供給装置１００、２００と、のみを使用する印刷版供給動作が行われる。
【００９２】
その後、インキローラ洗浄動作、ブランケット胴洗浄動作、印刷版排出動作、印刷版供給動作、キャリブレーション動作が終了した状態となると、露光ヘッドと、版胴１１、１２と、を使用する露光動作が行われ、すべての準備動作が終了する。
【００９３】
図１１は、インキローラ洗浄動作、ブランケット胴洗浄動作、印刷版排出動作、印刷版供給動作、キャリブレーション動作、露光動作のすべてを行うスケジュールに対し、ブランケット胴洗浄動作が中止された場合の変更されたスケジュールを示す説明図である。
【００９４】
すなわち、図１１に示すスケジュールは、予めインキローラ洗浄動作、ブランケット胴洗浄動作、印刷版排出動作、印刷版供給動作、露光キャリブレーション動作、および、露光動作が必要であると判断されてスケジュールが設定された後に、ブランケット胴洗浄動作を中止すべきと判断され、再度スケジュールが行われた場合のスケジュールである。このスケジュールにおいては、まず、優先順位が一番高く設定されるインキローラ洗浄動作が行われる。インキローラ洗浄動作を行うときには、インキローラ洗浄装置５００と、インキローラ２１０と、版胴１１、１２と、ブランケット胴１３、１４と、給紙胴１７と、排紙胴１９とが使用される。このとき、画像記録装置３５、３６における露光ヘッドが使用されていない。このため、露光ヘッドのみを使用するキャリブレーション動作が並行して行われる。
【００９５】
インキローラ洗浄動作が終了すると、ブランケット胴洗浄動作が行われる。このブランケット胴洗浄動作を行うときには、ブランケット胴洗浄装置７００、８００と、ブランケット胴１３、１４と、給紙胴１７と、排紙胴１９とが使用される。このとき、版胴１１、１２と、印刷版排出装置３００、４００とが使用されていない。このため、版胴１１、１２と、印刷版排出装置３００、４００と、のみを使用する印刷版排出動作が並行して行われる。このブランケット胴洗浄動作が行われている間に、ブランケット胴洗浄動作を中止すべき判断がされると、ブランケット胴洗浄動作が中止される。
【００９６】
そして、印刷版排出動作が終了すると、既に印刷版排出動作が終了して使用されていない版胴１１、１２と、印刷版供給装置１００、２００と、のみを使用する印刷版供給動作が行われる。
【００９７】
その後、インキローラ洗浄動作、印刷版排出動作、印刷版供給動作、キャリブレーション動作、印刷版供給動作が終了した状態となると、露光ヘッドと、版胴１１、１２と、を使用する露光動作が行われ、ブランケット胴洗浄動作を除くすべての準備動作が終了する。
【００９８】
図１２は、インキローラ洗浄動作、ブランケット胴洗浄動作、印刷版排出動作、印刷版供給動作、キャリブレーション動作、露光動作のすべてを行うスケジュールに対し、ブランケット胴洗浄動作を一旦中止し再開させる場合の変更されたスケジュールを示す説明図である。
【００９９】
すなわち、図１２に示すスケジュールは、予めインキローラ洗浄動作、ブランケット胴洗浄動作、印刷版排出動作、印刷版供給動作、露光キャリブレーション動作、および、露光動作が必要であると判断されてスケジュールが設定された後に、ブランケット胴洗浄動作を一旦中止し露光動作後に再開させる判断がされ、再度スケジュールが行われた場合のスケジュールである。このスケジュールにおいては、まず、優先順位が一番高く設定されるインキローラ洗浄動作が行われる。インキローラ洗浄動作を行うときには、インキローラ洗浄装置５００と、インキローラ２１０と、版胴１１、１２と、ブランケット胴１３、１４と、給紙胴１７と、排紙胴１９とが使用される。このとき、画像記録装置３５、３６における露光ヘッドが使用されていない。このため、露光ヘッドのみを使用するキャリブレーション動作が並行して行われる。
【０１００】
インキローラ洗浄動作が終了すると、ブランケット胴洗浄動作が行われる。このブランケット胴洗浄動作を行うときには、ブランケット胴洗浄装置７００、８００と、ブランケット胴１３、１４と、給紙胴１７と、排紙胴１９とが使用される。このとき、版胴１１、１２と、印刷版排出装置３００、４００とが使用されていない。このため、版胴１１、１２と、印刷版排出装置３００、４００と、のみを使用する印刷版排出動作が並行して行われる。このブランケット胴洗浄動作が行われている間に、ブランケット胴洗浄動作を中止すべき判断がされると、ブランケット胴洗浄動作が中止される。
【０１０１】
例えばブランケット胴洗浄動作の中止は、オペレータの手動指示に基づくものであってもよいし、また、装置上の管理で自動的に判断させるものであってもよい。自動的に判断される例としては、例えば洗浄に必要な洗浄液がなくなった時などのワーニングによるもの、もしくは洗浄結果を検知して洗浄動作が必要でないと判断する場合等がある。
【０１０２】
そして、印刷版排出動作が終了すると、既に印刷版排出動作が終了して使用されていない版胴１１、１２と、印刷版供給装置１００、２００と、のみを使用する印刷版供給動作が行われる。
【０１０３】
その後、インキローラ洗浄動作、印刷版排出動作、印刷版供給動作、キャリブレーション動作が終了した状態となると、露光ヘッドと、版胴１１、１２と、を使用する露光動作が行われ、ブランケット胴洗浄動作を除くすべての準備動作が終了する。
【０１０４】
露光動作が終了し、ブランケット胴洗浄動作が実行可能となれば、ブランケット胴洗浄動作が再開される。そして、すべての準備動作が終了する。
【０１０５】
図１３は、インキローラ洗浄動作、ブランケット胴洗浄動作、印刷版排出動作、印刷版供給動作、キャリブレーション動作、露光動作のすべてを行うスケジュールに対し、ブランケット胴洗浄動作を一旦中止し再開させる場合の変更されたスケジュールを示す説明図である。
【０１０６】
すなわち、図１３に示すスケジュールは、予めインキローラ洗浄動作、ブランケット胴洗浄動作、印刷版排出動作、印刷版供給動作、露光キャリブレーション動作、および、露光動作が必要であると判断されてスケジュールが設定された後に、ブランケット胴洗浄動作を一旦中止し露光動作前に再開させる判断がされ、再度スケジュールが行われた場合のスケジュールである。このスケジュールにおいては、まず、優先順位が一番高く設定されるインキローラ洗浄動作が行われる。インキローラ洗浄動作を行うときには、インキローラ洗浄装置５００と、インキローラ２１０と、版胴１１、１２と、ブランケット胴１３、１４と、給紙胴１７と、排紙胴１９とが使用される。このとき、画像記録装置３５、３６における露光ヘッドが使用されていない。このため、露光ヘッドのみを使用するキャリブレーション動作が並行して行われる。
【０１０７】
インキローラ洗浄動作が終了すると、ブランケット胴洗浄動作が行われる。このブランケット胴洗浄動作を行うときには、ブランケット胴洗浄装置７００、８００と、ブランケット胴１３、１４と、給紙胴１７と、排紙胴１９とが使用される。このとき、版胴１１、１２と、印刷版排出装置３００、４００とが使用されていない。このため、版胴１１、１２と、印刷版排出装置３００、４００と、のみを使用する印刷版排出動作が並行して行われる。このブランケット胴洗浄動作が行われている間に、ブランケット胴洗浄動作を中止すべき判断がされると、ブランケット胴洗浄動作が中止される。
【０１０８】
そして、印刷版排出動作が終了すると、既に印刷版排出動作が終了して使用されていない版胴１１、１２と、印刷版供給装置１００、２００と、のみを使用する印刷版供給動作が行われる。
【０１０９】
この印刷版排出動作または印刷版供給動作の間に、ブランケット胴洗浄動作が実行可能となれば、ブランケット胴洗浄動作が再開される。
【０１１０】
その後、インキローラ洗浄動作、ブランケット胴洗浄動作、印刷版排出動作、印刷版供給動作、キャリブレーション動作が終了した状態となると、露光ヘッドと、版胴１１、１２と、を使用する露光動作が行われ、すべての準備動作が終了する。
【図面の簡単な説明】
【０１１１】
【図１】この発明に係る印刷装置の概要図である。
【図２】この発明に係る印刷装置の主要な電気的構成を示すブロック図である。
【図３】この発明に係る印刷装置における準備動作のスケジュールを示す説明図である。
【図４】この発明に係る印刷装置における準備動作のスケジュールを示す説明図である。
【図５】この発明に係る印刷装置における準備動作のスケジュールを示す説明図である。
【図６】この発明に係る印刷装置における準備動作のスケジュールを示す説明図である。
【図７】この発明に係る印刷装置における準備動作のスケジュールを示す説明図である。
【図８】この発明に係る印刷装置における準備動作のスケジュールを示す説明図である。
【図９】この発明に係る印刷装置における準備動作のスケジュールを示す説明図である。
【図１０】この発明に係る印刷装置における準備動作のスケジュールを示す説明図である。
【図１１】この発明に係る印刷装置における準備動作のスケジュールを示す説明図である。
【図１２】この発明に係る印刷装置における準備動作のスケジュールを示す説明図である。
【図１３】この発明に係る印刷装置における準備動作のスケジュールを示す説明図である。
【符号の説明】
【０１１２】
１１    第１の版胴
１２    第２の版胴
１３    第１のブランケット胴
１４    第２のブランケット胴
１５    第１の圧胴
１６    第２の圧胴
１７    給紙胴
１８    渡し胴
１９    排紙胴
２０    インキ供給装置
２１    湿し水供給装置
２３    チェーン
２５    従動プーリ
２６    ギヤ
２７    モータ
２８    駆動プーリ
２９    ベルト
３１    給紙部
３２    排紙部
３５    画像記録装置
３６    画像記録装置
４１    収納部
４２    カッタ
４３    収納部
４４    カッタ
６０    撮像部
１００  印刷版供給装置
２００  印刷版供給装置
３００  印刷版排出装置
３０１  排版部
３０２  剥離装置
４００  印刷版排出装置
４０１  排版部
４０２  剥離装置
５００  インキローラ洗浄装置
５０１  ＲＯＭ
５０２  ＲＡＭ
５０３  ＣＰＵ
５０４  インターフェース
５０５  制御部
７００  ブランケット胴洗浄装置
８００  ブランケット胴洗浄装置
【図１】
2007050520.tif 000003
【図２】
2007050520.tif 000004
【図３】
2007050520.tif 000005
【図４】
2007050520.tif 000006
【図５】
2007050520.tif 000007
【図６】
2007050520.tif 000008
【図７】
2007050520.tif 000009
【図８】
2007050520.tif 000010
【図９】
2007050520.tif 000011
【図１０】
2007050520.tif 000012
【図１１】
2007050520.tif 000013
【図１２】
2007050520.tif 000014
【図１３】
2007050520.tif 000015